(57)【要約】【課題】受信データを品質よく復調処理することを課題とする。【解決手段】送信データの送信処理の実行中であるか否かを示す送信処理状況、および／または、送信データの信号強度をモニタして取得する。そして、受信データの信号強度を測定し、取得された送信処理状況、および／または、信号強度の取得結果に応じて、測定された受信データの信号強度の測定値を補正し、補正された測定値を用いて受信データを復調処理する。例えば、送信データの送信処理の実行中であるか否かを示す送信処理状況ごとに、受信データの信号強度の測定値の補正に用いられる補正情報を保持し、各補正情報の中から、送信処理状況の取得結果に対応する補正情報を取得し、取得された補正情報を用いて受信データの信号強度の測定値を補正する。【選択図】        図１
2009206977.tif 000002
【特許請求の範囲】
【請求項１】
端末装置と、通信装置との間に介在し、通信装置から受信した端末装置宛の送信データを送信するとともに、端末装置からの受信データを復調処理して通信装置に対して送信するデータ送受信装置であって、
前記送信データの送信処理の実行中であるか否かを示す送信処理状況、および／または、前記送信データの信号強度をモニタして取得する送信状況取得手段と、
前記受信データの信号強度を測定する信号強度測定手段と、
前記送信状況取得手段により取得された送信処理状況、および／または、信号強度の取得結果に応じて、前記信号強度測定手段によって測定された前記受信データの信号強度の測定値を補正する測定値補正手段と、
前記測定値補正手段によって補正された測定値を用いて前記受信データを復調処理する復調手段と、
を備えたことを特徴とするデータ送受信装置。
【請求項２】
前記送信データの送信処理の実行中であるか否かを示す送信処理状況ごとに、前記受信データの信号強度の測定値の補正に用いられる補正情報を保持する補正情報保持手段と、
前記補正情報保持手段によって保持された各補正情報の中から、前記送信状況取得手段による送信処理状況の取得結果に対応する補正情報を取得する補正情報取得手段とをさらに備え、
前記測定値補正手段は、前記補正情報取得手段によって取得された補正情報を用いて前記受信データの信号強度の測定値を補正することを特徴とする請求項１に記載のデータ送受信装置。
【請求項３】
前記送信状況取得手段により取得された送信処理状況が前記送信データの送信処理の実行中であることを示す場合について、前記送信データの信号強度ごとに前記受信データの信号強度の測定値の補正に用いられる補正情報を保持するとともに、前記送信状況取得手段により取得された送信処理状況が前記送信データの送信処理の停止中であることを示す場合についての補正情報を保持する補正情報保持手段と、
前記補正情報保持手段によって保持された各補正情報の中から、前記送信状況取得手段による送信処理状況の取得結果および／または信号強度の取得結果に応じて補正情報を取得する補正情報取得手段とをさらに備え、
前記測定値補正手段は、前記補正情報取得手段によって取得された補正情報を用いて前記受信データの信号強度の測定値を補正することを特徴とする請求項１に記載のデータ送受信装置。
【請求項４】
前記送信データの信号強度ごとに前記受信データの信号強度の測定値の補正に用いられる補正情報を保持する補正情報保持手段と、
前記補正情報保持手段によって保持された各補正情報の中から、前記送信状況取得手段による信号強度の取得結果に応じて補正情報を取得する補正情報取得手段とをさらに備え、
前記測定値補正手段は、前記補正情報取得手段によって取得された前記補正情報を用いて前記受信データの信号強度の測定値を補正することを特徴とする請求項１に記載のデータ送受信装置。
【請求項５】
予め設定された前記送信データの信号強度の基準値ごとに、前記受信データの信号強度の測定値の補正に用いられる補正情報を保持する補正情報保持手段と、
前記送信状況取得手段による信号強度の取得結果と、前記補正情報保持手段によって保持されている各補正情報とを用いて前記受信データの信号強度を補正するための補正値を演算する補正値演算手段とをさらに備え、
前記測定値補正手段は、前記補正値演算手段によって演算された補正値に前記受信データの信号強度の測定値を補正することを特徴とする請求項１に記載のデータ送受信装置。
【請求項６】
端末装置と、通信装置との間に介在するデータ送受信装置によって、通信装置から受信した端末装置宛の送信データを送信するとともに、端末装置からの受信データを復調処理して通信装置に対して送信するデータ送受信方法であって、
前記送信データの送信処理の実行中であるか否かを示す送信処理状況、および／または、前記送信データの信号強度をモニタして取得する送信状況取得ステップと、
前記受信データの信号強度を測定する信号強度測定ステップと、
前記送信状況取得ステップにより取得された送信処理状況、および／または、信号強度の取得結果に応じて、前記信号強度測定ステップによって測定された前記受信データの信号強度の測定値を補正する測定値補正ステップと、
前記測定値補正ステップによって補正された測定値を用いて前記受信データを復調処理する復調ステップと、
を含んだことを特徴とするデータ送受信方法。
【発明の詳細な説明】
【技術分野】
【０００１】
本件は、端末装置と、通信装置との間に介在し、データを送信するデータ送受信装置およびデータ送受信方法に関する。
【背景技術】
【０００２】
従来より、携帯電話間の通信サービスやテレビ番組を提供する通信システムにおいて、端末装置（例えば、携帯電話）と、通信装置（例えば、基地局装置）との間に介在し、通信装置から受信した端末装置宛の送信データを送信するとともに、端末装置からの受信データを復調処理して通信装置に対して送信するデータ送受信装置がある（特許文献１および２参照）。
【０００３】
以下に一例をあげて、この送受信装置について具体的に説明する。この送受信装置は、図１５の（１−１）に示すように、送信部によって通信装置から受信した送信データを変調処理し、送信データを含んだ搬送波を生成して端末装置に対して送信する。
【０００４】
一方では、送受信装置は、図１５に示すように、受信データの送受信に係る構成要素として、補正テーブル、受信データ抽出部、ＲＳＳＩ（Ｒｅｃｅｉｖｅ  Ｓｉｇｎａｌ  Ｓｔｒｅｎｇｔｈ  Ｉｎｄｉｃａｔｉｏｎ（もしくは、Ｉｎｄｉｃａｔｏｒ））値測定部、ＲＳＳＩ値補正部および復調部（ＤＥＭ：Ｄｅｍｏｄｕｌａｔｏｒ）を有する。
【０００５】
このうち、補正テーブルは、受信データの信号強度の測定結果であるＲＳＳＩ報告値（報告値）に対応付けて、受信データの信号強度を補正するためのＲＳＳＩ補正値（補正値）を記憶している。
【０００６】
このような前提の下、受信データ抽出部は、図１５の（２−１）に示すように、端末装置から発信されている搬送波を受信し、搬送波に含まれている受信データを抽出して、ＲＳＳＩ値測定部および復調部に対して入力する。
【０００７】
続いて、ＲＳＳＩ値測定部は、図１５の（２−２）に示すように、受信データ抽出部によって抽出された受信データのＲＳＳＩ値（例えば、−１０１ｄＢｍ（ディービーエム：信号の強さを電力表示した単位））を測定し、測定結果をＲＳＳＩ報告値としてＲＳＳＩ値補正部に対して入力する。
【０００８】
ＲＳＳＩ値測定部からＲＳＳＩ報告値を受け付けたＲＳＳＩ値補正部は、図１５の（２−３）に示すように、補正テーブルを参照して、ＲＳＳＩ報告値をＲＳＳＩ補正値に補正し、ＲＳＳＩ補正値を復調部に対して入力する。例えば、ＲＳＳＩ値補正部は、ＲＳＳＩ値測定部から受け付けたＲＳＳＩ報告値「−１０１ｄＢｍ」をＲＳＳＩ補正値「−１００ｄＢｍ」に補正し、復調部に対して入力する。
【０００９】
ＲＳＳＩ値補正部からＲＳＳＩ補正値を受け付けるとともに、受信データ抽出部から受信データを受け付けた復調部は、図１５の（２−４）に示すように、ＲＳＳＩ補正値を用いて受信データを復調し、通信装置に対して送信する。なお、図１５は、従来技術の概要を説明するための図である。
【００１０】
【特許文献１】特開２００５−２９５３９６号公報
【特許文献２】特開２００７−１８９８７１号公報
【発明の開示】
【発明が解決しようとする課題】
【００１１】
ところで、上記した従来の送受信装置は、受信データを復調処理するときに品質劣化を生じさせる場合があるという課題があった。すなわち、従来の送受信装置は、図１６の（１）に示すような端末装置に対して送信データの送信処理が行われていない場合と、図１６の（２）に示すような端末装置に対して送信データの送信処理が行われている場合とでは、受信データが有するＲＳＳＩ値の測定結果に誤差が生じ、状況によりＲＳＳＩ値の測定結果が適正なＲＳＳＩ値に補正されない。
【００１２】
そのため、従来の送受信装置には、受信データを復調処理するときに品質劣化を生じさせる場合があるという問題点があった。なお、図１６は、従来技術の課題を説明するための図である。
【００１３】
そこで、このデータ送受信装置およびデータ送受信方法は、上述した従来技術の課題を解決するためになされたものであり、受信データを品質よく復調処理することが可能なデータ送受信装置およびデータ送受信方法を提供することを目的とする。
【課題を解決するための手段】
【００１４】
上述した課題を解決し、目的を達成するため、開示のデータ送受信装置は、端末装置と、通信装置との間に介在し、通信装置から受信した端末装置宛の送信データを送信するとともに、端末装置からの受信データを復調処理して通信装置に対して送信するデータ送受信装置であって、前記送信データの送信処理の実行中であるか否かを示す送信処理状況、および／または、前記送信データの信号強度をモニタして取得する送信状況取得手段と、前記受信データの信号強度を測定する信号強度測定手段と、前記送信状況取得手段により取得された送信処理状況、および／または、信号強度の取得結果に応じて、前記信号強度測定手段によって測定された前記受信データの信号強度の測定値を補正する測定値補正手段と、前記測定値補正手段によって補正された測定値を用いて前記受信データを復調処理する復調手段とを備えることを要する。
【００１５】
また、開示のデータ送受信方法は、端末装置と、通信装置との間に介在するデータ送受信装置によって、通信装置から受信した端末装置宛の送信データを送信するとともに、端末装置からの受信データを復調処理して通信装置に対して送信するデータ送受信方法であって、前記送信データの送信処理の実行中であるか否かを示す送信処理状況、および／または、前記送信データの信号強度をモニタして取得する送信状況取得ステップと、前記受信データの信号強度を測定する信号強度測定ステップと、前記送信状況取得ステップにより取得された送信処理状況、および／または、信号強度の取得結果に応じて、前記信号強度測定ステップによって測定された前記受信データの信号強度の測定値を補正する測定値補正ステップと、前記測定値補正ステップによって補正された測定値を用いて前記受信データを復調処理する復調ステップとを含むことを要する。
【発明の効果】
【００１６】
開示のデータ送受信装置およびデータ送受信方法によれば、受信データを品質よく復調処理することが可能である。
【発明を実施するための最良の形態】
【００１７】
以下に添付図面を参照して、この発明に係るデータ送受信装置およびデータ送受信方法の実施例を詳細に説明する。なお、以下では、この発明が適用された送受信装置を実施例として説明する。
【実施例１】
【００１８】
以下の実施例１では、実施例１に係る送受信装置の概要および特徴、送受信装置の構成、送受信装置の処理の流れを順に説明し、最後に実施例１の効果を説明する。
【００１９】
［実施例１に係る送受信装置の概要および特徴］
まず最初に、図１を用いて実施例１に係る送受信装置の概要および特徴を説明する。図１は、実施例１に係る送受信装置の概要および特徴を説明するための図である。
【００２０】
実施例１に係る送受信装置は、端末装置と、通信装置との間に介在し、通信装置から受信した端末装置宛の送信データを送信するとともに、端末装置からの受信データを復調処理して通信装置に対して送信することを概要とし、受信データを品質よく復調処理することを主たる特徴とする。
【００２１】
すなわち、実施例１に係る送受信装置は、送信データの送信処理の実行中であるか否かを示す送信処理状況、および／または、送信データの信号強度をモニタして取得する。
【００２２】
そして、実施例１に係る送受信装置は、送信処理状況、および／または、信号強度の取得結果に応じて、受信データの信号強度の測定値を補正し、補正された測定値を用いて受信データを復調処理する。
【００２３】
具体的に一例をあげて説明すると、実施例１に係る送受信装置は、図１に示すように、送信データの送信処理が行われていることを示す送信処理状況を取得した場合には、受信データの信号強度の測定値「−１０４ｄＢｍ」を補正値「−１００ｄＢｍ」に補正する。一方では、実施例１に係る送受信装置は、送信データの送信処理が行われていないことを示す送信処理状況を取得した場合には、受信データの信号強度の測定値「−１０１ｄＢｍ」を補正値「−１００ｄＢｍ」に補正する。
【００２４】
このようなことから、実施例１に係る送受信装置は、上記した主たる特徴のごとく、受信データを品質よく復調処理することが可能である。
【００２５】
［送受信装置の構成］
次に、図２および図３を用いて、図１に示した送受信装置の構成を説明する。図２は、実施例１に係る送受信装置の構成を示すブロック図である。図３は、実施例１に係る補正テーブルに記憶される情報の一例を示した図である。
【００２６】
（送信データ送受信回路の構成）
図２に示すように、この送受信装置１０は、送信データの送受信に係る構成要素として、ＭＯＤ２１（Ｍｏｄｕｌａｔｏｒ：変調部）、ＤＡＣ２２（Ｄｉｇｉｔａｌ  ｔｏ  Ａｎａｌｏｇ  Ｃｏｎｖｅｒｔｅｒ）、発振器２３、ミキサ２４、ＡＭＰ２５（Ａｍｐｌｉｆｉｅｒ）、アイソレータ２６、ＴｘＡＭＰ２７（Ｔｒａｎｓｍｉｔｔｅｒ  Ａｍｐｌｉｆｉｅｒ）、電源装置２８およびスイッチ２９を備える。
【００２７】
このうち、ＭＯＤ２１は、通信装置から受信した送信データを変調し、ＤＡＣ２２に対して入力する。また、ＤＡＣ２２は、ＭＯＤ２１から受け付けたデジタル形式の送信データをアナログ形式の送信データに変換し、ミキサ２４に対して入力する。
【００２８】
発振器２３は、一定の周波数の信号を生成し、ミキサ２４に対して入力する。また、ミキサ２４は、発振器２３から受け付けた一定の周波数の信号を用いて、ＤＡＣ２２から受け付けた送信データの周波数を変更し、ＡＭＰ２５に対して入力する。
【００２９】
なお、ＤＡＣ２２からミキサ２４に対して入力される送信データ信号は、ＩＦ（Ｉｎｔｅｒｍｅｄｉａｔｅ  Ｆｒｅｑｕｅｎｃｙ：中間周波数）帯の信号に相当し、ミキサ２４からＡＭＰ２５に対して入力される送信データ信号は、ＲＦ（Ｒａｄｉｏ  Ｆｒｅｑｕｅｎｃｙ：無線周波数）帯の信号に相当する。
【００３０】
ＡＭＰ２５は、ミキサ２４から受け付けた送信データの信号を増幅し、アイソレータ２６を経由してＴｘＡＭＰ２７に対して入力する。また、アイソレータ２６は、ＴｘＡＭＰ２７からＡＭＰ２５に対して流れる電流の回り込みを防止する。
【００３１】
ＴｘＡＭＰ２７は、ＡＭＰ２５から受け付けた送信データの信号をさらに増幅し、端末装置に対して送信データを含んだ搬送波を送信する。
【００３２】
電源装置２８は、ＴｘＡＭＰ２７に対して電力を供給する。また、スイッチ２９は、電源装置２８がＴｘＡＭＰ２７に対して電力を供給するか否かを切り替える。
【００３３】
ここで、スイッチ２９による制御によって電源装置２８がＴｘＡＭＰ２７に対して電力を供給している場合には、ＴｘＡＭＰ２７は、端末装置に対して送信データを含んだ搬送波を送信し、スイッチ２９による制御によって電源装置２８がＴｘＡＭＰ２７に対して電力を供給していない場合には、ＴｘＡＭＰ２７は、端末装置に対して送信データを含んだ搬送波の送信を停止する。
【００３４】
（受信データ送受信回路の構成）
また、送受信装置１０は、受信データの送受信に係る構成要素として、ＲｘＡＭＰ４１（Ｒｅｃｉｅｖｅｒ  Ａｍｐｌｉｆｉｅｒ）、バンドパスフィルタ４２、発振器４３、ミキサ４４、バンドパスフィルタ４５、ＡＭＰ４６、ＡＤＣ４７（Ａｎａｌｏｇ  ｔｏ  ｄｉｇｉｔａｌ  Ｃｏｎｖｅｒｔｅｒ）、補正テーブル４８、ＲＳＳＩ値測定部４９、補正情報選択部５０、ＲＳＳＩ値補正部５１およびＤＥＭ５２（Ｄｅｍｏｄｕｌａｔｏｒ：復調部）を備える。
【００３５】
なお、請求の範囲に記載の「補正情報保持手段」は、例えば補正テーブル４８に対応し、「信号強度測定手段」は、例えばＲＳＳＩ値測定部４９に対応し、「送信状況取得手段」および「補正情報取得手段」は、例えば補正情報選択部５０に対応し、「測定値補正手段」は、例えばＲＳＳＩ値補正部５１に対応し、「復調手段」は、例えばＤＥＭ５２に対応する。
【００３６】
このうち、ＲｘＡＭＰ４１は、端末装置から発信されている搬送波を受信し、搬送波の信号を増幅する。そして、ＲｘＡＭＰ４１は、搬送波をバンドパスフィルタ４２に対して入力する。また、バンドパスフィルタ４２は、ＲｘＡＭＰ４１から受け付けた搬送波に含まれている受信データを切り出して、ミキサ４４に対して入力する。
【００３７】
発振器４３は、一定の周波数の信号を生成し、ミキサ４４に対して入力する。また、ミキサ４４は、発振器４３から受け付けた一定の周波数の信号を用いて、バンドパスフィルタ４２から受け付けた受信データの周波数を変更し、バンドパスフィルタ４５に対して入力する。
【００３８】
なお、バンドパスフィルタ４２からミキサ４４に対して入力される受信データは、ＲＦ帯の信号に相当し、ミキサ４４からバンドパスフィルタ４５に対して入力される受信データは、ＩＦ帯の信号に相当する。
【００３９】
バンドパスフィルタ４５は、ミキサ４４による受信データの周波数の変更にともなって受信データに含まれたノイズを除去し、ＡＭＰ４６に対して入力する。また、ＡＭＰ４６は、ミキサ４４から受け付けた受信データの信号を増幅し、ＡＤＣ４７に対して入力する。
【００４０】
ＡＤＣ４７は、ＡＭＰ４６から受け付けたアナログ形式の受信データをデジタル形式の受信データに変換し、ＲＳＳＩ値測定部４９およびＤＥＭ５２に対して入力する。
【００４１】
なお、以下では、ＲｘＡＭＰ４１によって搬送波を受け付け、ＡＤＣ４７が受信データをＲＳＳＩ値測定部４９およびＤＥＭ５２に入力するまでの一連の処理を「受信データ抽出処理」と記載する。
【００４２】
補正テーブル４８は、送信データの送信処理の実行中であるか否かを示す送信処理状況ごとに、受信データのＲＳＳＩ値の測定値の補正に用いられる補正情報を保持する。具体的には、補正テーブル４８は、図３に示すように、送信データの送信処理が行われていることを示す送信処理状況に対応する送信中補正情報として、ＲＳＳＩ報告値に対応付けて、ＲＳＳＩ報告値を補正するためのＲＳＳＩ補正値を記憶する。また、補正テーブル４８は、送信データの送信処理が行われていないことを示す送信処理状況に対応する停止中補正情報として、ＲＳＳＩ報告値に対応付けて、ＲＳＳＩ補正値を記憶する。
【００４３】
ＲＳＳＩ値測定部４９は、受信データのＲＳＳＩ値を測定する。具体的には、ＲＳＳＩ値測定部４９は、ＡＤＣ４７から受け付けた受信データのＲＳＳＩ値を測定し、測定結果をＲＳＳＩ報告値としてＲＳＳＩ値補正部５１に対して入力する。
【００４４】
補正情報選択部５０は、送信データの送信処理の実行中であるか否かを示す送信処理状況を取得する。そして、補正情報選択部５０は、補正テーブル４８によって保持された各補正情報の中から、送信処理状況の取得結果に対応する補正情報を選択する。
【００４５】
具体的には、補正情報選択部５０は、スイッチ２９による電源装置２８の制御を常に監視して、電源装置２８がＴｘＡＭＰ２７に対して電力を供給しているか、もしくは、電源装置２８がＴｘＡＭＰ２７に対して電力を供給していないかを判定することで、ＴｘＡＭＰ２７によって送信データの送信処理が行われているか否かを示す送信処理状況を取得する。
【００４６】
ここで、補正情報選択部５０は、ＴｘＡＭＰ２７によって送信データの送信処理が行われていることを示す送信処理状況を取得した場合には、補正テーブル４８によって保持されている送信中補正情報を選択し、選択結果をＲＳＳＩ値補正部５１に対して送信する。
【００４７】
一方では、補正情報選択部５０は、ＴｘＡＭＰ２７によって送信データの送信処理が行われていないことを示す送信処理状況を取得した場合には、補正テーブル４８によって保持されている停止中補正情報を選択し、選択結果をＲＳＳＩ値補正部５１に対して送信する。
【００４８】
ＲＳＳＩ値補正部５１は、送信処理状況の取得結果に応じて、ＲＳＳＩ値測定部４９によって測定された受信データのＲＳＳＩ値の測定値を補正する。具体的には、ＲＳＳＩ値補正部５１は、補正情報選択部５０によって選択された補正情報を用いて受信データのＲＳＳＩ値の測定値を補正する。
【００４９】
例えば、ＲＳＳＩ値補正部５１は、補正情報選択部５０から送信中補正情報が選択された選択結果を受け付けているときに、ＲＳＳＩ値測定部４９からＲＳＳＩ報告値「−１０４ｄＢｍ」を受け付けたものとする。
【００５０】
このとき、ＲＳＳＩ値補正部５１は、補正テーブル４８によって保持されている送信中補正情報を参照し、ＲＳＳＩ報告値「−１０４ｄＢｍ」をＲＳＳＩ補正値「−１００ｄＢｍ」に補正し、ＤＥＭ５２に対して入力する。
【００５１】
また、ＲＳＳＩ値補正部５１は、補正情報選択部５０から停止中補正情報が選択された選択結果を受け付けているときに、ＲＳＳＩ値測定部４９からＲＳＳＩ報告値「−１０１ｄＢｍ」を受け付けたものとする。
【００５２】
このとき、ＲＳＳＩ値補正部５１は、補正テーブル４８によって保持されている停止中補正情報を参照し、ＲＳＳＩ報告値「−１０１ｄＢｍ」をＲＳＳＩ補正値「−１００ｄＢｍ」に補正し、ＤＥＭ５２に対して入力する。
【００５３】
ＤＥＭ５２は、ＲＳＳＩ値測定部４９によって補正された測定値を用いて受信データを復調処理する。具体的には、ＤＥＭ５２は、ＲＳＳＩ値補正部５１から受け付けたＲＳＳＩ補正値を用いて、ＡＤＣ４７から受け付けた受信データを復調する。そして、ＤＥＭ５２は、復調した受信データを通信装置に対して送信する。
【００５４】
［送受信装置による処理］
次に、図４を用いて、送受信装置１０による処理を説明する。図４は、実施例１に係る送受信装置による処理の流れを示すフローチャート図である。
【００５５】
なお、実施例１に係る送受信装置は、送信データの送信処理の実行中であるか否かを示す送信処理状況を常に取得しているものとし、以下では、実施例１に係る送受信装置１０に特徴的な受信データ送受信処理の流れについて説明する。
【００５６】
図４に示すように、送受信装置１０は、端末装置から発信されている搬送波を受信すると（ステップＳ１００１肯定）、受信データ抽出処理を実行し（ステップＳ１００２）、受信データのＲＳＳＩ値を測定する（ステップＳ１００３）。
【００５７】
ここで、送信データの送信処理が行われていることを示す送信処理状況を取得している場合には（ステップＳ１００４肯定）、送受信装置１０は、送信中補正情報を選択し（ステップＳ１００５）、送信中補正情報を参照して受信データのＲＳＳＩ値の測定値を補正する（ステップＳ１００６）。
【００５８】
そして、送受信装置１０は、補正された測定値を用いて受信データを復調処理し（ステップＳ１００７）、復調した受信データを通信装置に対して送信して（ステップＳ１００８）、受信データ送受信処理を終了する。
【００５９】
ステップＳ１００４の説明に戻ると、送信データの送信処理が行われていないことを示す送信処理状況を取得ている場合には（ステップＳ１００４否定）、送受信装置１０は、停止中補正情報を選択し（ステップＳ１００９）、停止中補正情報を参照して受信データのＲＳＳＩ値の測定値を補正する（ステップＳ１０１０）。
【００６０】
そして、送受信装置１０は、補正された測定値を用いて受信データを復調処理し（ステップＳ１００７）、復調した受信データを通信装置に対して送信して（ステップＳ１００８）、受信データ送受信処理を終了する。
【００６１】
［実施例１の効果］
上記したように、実施例１によれば、受信データを品質よく復調処理することが可能である。例えば、実施例１によれば、電源装置２８がＴｘＡＭＰ２７に対して電力を供給する際に発生するノイズが、受信データが有するＲＳＳＩ値の測定結果に誤差を生じさせている場合であっても、ＲＳＳＩ値の測定結果を適正なＲＳＳＩ値に補正することができるので、受信データを品質よく復調処理することが可能である。
【実施例２】
【００６２】
ところで、実施例１において、送信データが有する信号レベルに応じて、受信データが有するＲＳＳＩ値の測定結果に発生する誤差が変動する場合がある。
【００６３】
そこで、実施例２では、送信データが有する信号レベルに応じて、受信データのＲＳＳＩ値の測定値を補正する場合を説明する。なお、実施例２では、実施例２に係る送受信装置の構成および送受信装置による処理の流れを説明した後、実施例２による効果を説明する。
【００６４】
［実施例２に係る送受信装置の構成］
まず、図５および図６を用いて実施例２に係る送受信装置１０の構成を説明する。図５は、実施例２に係る送受信装置の構成を示すブロック図である。図６は、実施例２に係る補正テーブルに記憶される情報の一例を示した図である。
【００６５】
実施例２に係る送受信装置１０の構成は、送信レベル値取得部５３を新たに備える他は、実施例１に係る送受信装置１０と以下に説明する点が異なる。なお、送信レベル値取得部５３は、請求の範囲に記載の「送信状況取得手段」に対応する。
【００６６】
すなわち、送信レベル値取得部５３は、送信データの信号レベルを取得する。具体的には、送信レベル値取得部５３は、ＭＯＤ２１からＤＡＣ２２に対して入力される送信データの信号レベルを測定する。そして、送信レベル値取得部５３は、送信データの信号レベルの測定結果（例えば、＋４６ｄＢ（デシベル：信号の強さを電力表示した単位））を補正情報選択部５０に対して入力する。
【００６７】
補正テーブル４８は、送信処理状況が送信データの送信処理の実行中であることを示す場合について、送信データの信号強度ごとに受信データの信号強度の測定値の補正に用いられる補正情報を保持するとともに、送信処理状況が送信データの送信処理の停止中であることを示す場合についての補正情報を保持する。
【００６８】
具体的には、補正テーブル４８は、図６に示すように、送信処理状況が送信データの送信処理の実行中であることを示す場合について、送信中補正情報（＋４６ｄＢ）と、送信中補正情報（＋４０ｄＢ）と、送信中補正情報（＋３５ｄＢ）とを保持する。さらに、補正テーブル４８は、送信処理状況が送信データの送信処理の停止中であることを示す場合についての停止中補正情報を保持する。
【００６９】
そして、補正テーブル４８は、各補正情報ごとにＲＳＳＩ報告値に対応付けて、ＲＳＳＩ補正値を記憶する。
【００７０】
なお、「送信中補正情報（＋４６ｄＢ）」は、送信データの送信処理を実行中であることを示す送信処理状況に対応し、かつ、送信データの信号レベルの測定結果（＋４６ｄＢ）に対応する補正情報である。
【００７１】
また、「送信中補正情報（＋４０ｄＢ）」は、送信データの送信処理を実行中であることを示す送信処理状況に対応し、かつ、送信データの信号レベルの測定結果（＋４０ｄＢ）に対応する補正情報である。
【００７２】
また、「送信中補正情報（＋３５ｄＢ）」は、送信データの送信処理を実行中であることを示す送信処理状況に対応し、かつ、送信データの信号レベルの測定結果（＋３５ｄＢ）に対応する補正情報である。
【００７３】
また、「停止中補正情報」は、送信データの送信処理が行われていないことを示す送信処理状況に対応する補正情報である。
【００７４】
補正情報選択部５０は、送信データの送信処理の実行中であるか否かを示す送信処理状況を取得する。そして、補正情報選択部５０は、補正テーブル４８によって保持された各補正情報の中から、送信処理状況の取得結果および／または信号強度の取得結果に応じて補正情報を取得する。
【００７５】
具体的には、補正情報選択部５０は、ＴｘＡＭＰ２７によって送信データの送信処理が行われているか否かを判定し、ＴｘＡＭＰ２７によって送信データの送信処理が行われていると判定した場合には、補正テーブル４８によって保持されている各送信中補正情報を選択する。
【００７６】
そして、補正情報選択部５０は、補正テーブル４８によって保持されている各送信中補正情報の中から、送信レベル値取得部５３から受け付けた送信データの信号レベル値に対応する送信中補正情報（例えば、送信中補正情報（＋４６ｄＢ））を選択し、選択結果をＲＳＳＩ値補正部５１に対して送信する。
【００７７】
一方では、補正情報選択部５０は、ＴｘＡＭＰ２７によって送信データの送信処理が行われていないと判定した場合には、補正テーブル４８によって保持されている停止中補正情報を選択し、選択結果をＲＳＳＩ値補正部５１に対して送信する。
【００７８】
ＲＳＳＩ値補正部５１は、補正情報選択部５０によって選択された補正情報を用いて受信データのＲＳＳＩ値の測定値を補正する。例えば、ＲＳＳＩ値補正部５１は、補正情報選択部５０から送信中補正情報（＋４６ｄＢ）が選択された選択結果を受け付けているときに、ＲＳＳＩ値測定部４９からＲＳＳＩ報告値「−１０４ｄＢｍ」を受け付けたものとする。
【００７９】
このとき、ＲＳＳＩ値補正部５１は、補正テーブル４８によって保持されている送信中補正情報（＋４６ｄＢ）を参照し、ＲＳＳＩ報告値「−１０４ｄＢｍ」をＲＳＳＩ補正値「−１００ｄＢｍ」に補正し、ＤＥＭ５２に対して入力する。
【００８０】
［実施例２に係る送受信装置による処理］
次に、図７を用いて、実施例２に係る送受信装置による処理を説明する。図７は、実施例２に係る送受信装置による処理の流れを示すフローチャート図である。
【００８１】
なお、実施例２に係る送受信装置は、送信データの送信処理の実行中であるか否かを示す送信処理状況を常に取得しており、さらに、送信データの信号レベル値を常に取得しているものとし、以下では、実施例２に係る送受信装置１０に特徴的な処理の流れについて詳細に説明する。
【００８２】
図７に示すように、送受信装置１０は、端末装置から発信されている搬送波を受信すると（ステップＳ２００１肯定）、受信データ抽出処理を実行し（ステップＳ２００２）、受信データのＲＳＳＩ値を測定する（ステップＳ２００３）。
【００８３】
ここで、送信データの送信処理が行われていることを示す送信処理状況を取得している場合には（ステップＳ２００４肯定）、送受信装置１０は、各送信中補正情報を選択し（ステップＳ２００５）、各送信中補正情報の中から、送信データが有するＲＳＳＩ値に対応する送信中補正情報を選択する（ステップＳ２００６）。
【００８４】
続いて、送受信装置１０は、選択された補正情報を用いて受信データのＲＳＳＩ値の測定値を補正し（ステップＳ２００７）、補正された測定値を用いて受信データを復調処理し（ステップＳ２００８）、復調した受信データを通信装置に対して送信して（ステップＳ２００９）、受信データ送受信処理を終了する。
【００８５】
ステップＳ２００４の説明に戻ると、送信データの送信処理が行われていないことを示す送信処理状況を取得している場合には（ステップＳ２００４否定）、送受信装置１０は、停止中補正情報を選択し（ステップＳ２０１０）、停止中補正情報を参照して受信データのＲＳＳＩ値の測定値を補正する（ステップＳ２０１１）。
【００８６】
そして、送受信装置１０は、補正された測定値を用いて受信データを復調処理し（ステップＳ２００８）、復調した受信データを通信装置に対して送信して（ステップＳ２００９）、受信データ送受信処理を終了する。
【００８７】
［実施例２の効果］
上記したように、実施例２によれば、受信データが有するＲＳＳＩ値の測定結果に誤差が発生した場合であっても、送信データの信号レベル値に応じて受信データのＲＳＳＩ値の測定値を補正するので、受信データを品質よく復調処理することが可能である。
【実施例３】
【００８８】
ところで、実施例２では、送信処理状況の取得結果、および、送信データの信号レベル値の取得結果に応じて受信データのＲＳＳＩ値の測定値を補正する場合を説明したが、送信処理状況の取得結果を用いずに受信データのＲＳＳＩ値の測定値を補正するようにしてもよい。
【００８９】
そこで、実施例３では、送信データの信号レベル値の取得結果に応じて受信データのＲＳＳＩ値の測定値を補正する場合を説明する。なお、実施例３では、実施例３に係る送受信装置の構成および送受信装置による処理の流れを説明した後、実施例３による効果を説明する。
【００９０】
［実施例３に係る送受信装置の構成］
まず、図８および図９を用いて実施例３に係る送受信装置１０の構成を説明する。図８は、実施例３に係る送受信装置の構成を示すブロック図である。図９は、実施例３に係る補正テーブルに記憶される情報の一例を示した図である。実施例３に係る送受信装置１０の構成は、実施例２に係る送受信装置１０と以下に説明する点が異なる。
【００９１】
すなわち、補正テーブル４８は、送信データの信号レベル値ごとに受信データのＲＳＳＩ値の測定値の補正に用いられる補正情報を保持する。具体的には、補正テーブル４８は、図９に示すように、補正情報（＋４６ｄＢ）と、補正情報（＋４０ｄＢ）と、補正情報（＋３５ｄＢ）と、補正情報（０ｄＢ）とを保持する。そして、補正テーブル４８は、各補正情報ごとにＲＳＳＩ報告値に対応付けて、ＲＳＳＩ補正値を記憶する。
【００９２】
なお、「補正情報（＋４６ｄＢ）」は、送信データの信号レベルの測定結果（＋４６ｄＢ）に対応する補正情報であり、「補正情報（＋４０ｄＢ）」は、送信データの信号レベルの測定結果（＋４０ｄＢ）に対応する補正情報であり、「補正情報（＋３５ｄＢ）」は、送信データの信号レベルの測定結果（＋３５ｄＢ）に対応する補正情報であり、「補正情報（０ｄＢ）」は、送信データの信号レベルの測定結果（０ｄＢ）に対応する補正情報である。
【００９３】
補正情報選択部５０は、補正テーブル４８によって保持された各補正情報の中から、信号強度の取得結果に応じて補正情報を取得する。具体的には、補正情報選択部５０は、補正テーブル４８によって保持されている各補正情報の中から、送信レベル値取得部５３から受け付けた送信データの信号レベル値に対応する補正情報を選択し、選択結果をＲＳＳＩ値補正部５１に対して送信する。
【００９４】
言い換えると、ＭＯＤ２１からＤＡＣ２２に対して送信データが入力されていない状況（つまり、送信データの信号レベルの測定結果が（０ｄＢ）である状況）は、送信データの送信処理が行われていない状況として特定することができる。そのため、補正情報選択部５０は、送信データの信号レベルの測定結果に基づいて、ＴｘＡＭＰ２７によって送信データの送信処理が行われているか否かを判定するという趣旨である。
【００９５】
［実施例３に係る送受信装置による処理］
次に、図１０を用いて、実施例３に係る送受信装置による処理を説明する。図１０は、実施例３に係る送受信装置による処理の流れを示すフローチャート図である。
【００９６】
なお、実施例３に係る送受信装置は、送信データの信号レベル値を常に取得しているものとし、以下では、実施例３に係る送受信装置１０に特徴的な処理の流れについて詳細に説明する。
【００９７】
図１０に示すように、送受信装置１０は、端末装置から発信されている搬送波を受信すると（ステップＳ３００１肯定）、受信データ抽出処理を実行し（ステップＳ３００２）、受信データのＲＳＳＩ値を測定する（ステップＳ３００３）。
【００９８】
続いて、送受信装置１０は、各補正情報の中から、送信データが有する信号レベル値に対応する送信中補正情報を選択し（ステップＳ３００４）、選択された補正情報を用いて受信データのＲＳＳＩ値の測定値を補正する（ステップＳ３００５）。
【００９９】
そして、送受信装置１０は、補正された測定値を用いて受信データを復調処理し（ステップＳ３００６）、復調した受信データを通信装置に対して送信して（ステップＳ３００７）、受信データ送受信処理を終了する。
【０１００】
［実施例３の効果］
上記したように、実施例３によれば、送信データの送信処理の実行中であるか否かを判定することなく、受信データを品質よく復調処理することが可能である。
【実施例４】
【０１０１】
ところで、実施例２および実施例３では、送信データの信号レベル値ごとにＲＳＳＩ報告値に対応するＲＳＳＩ補正値を保持する場合を説明したが、送信データの信号レベル値の取得結果を用いてＲＳＳＩ補正値を演算するようにしてもよい。そこで、実施例４では、ＲＳＳＩ補正値を演算する場合を説明する。なお、実施例４では、実施例４に係る送受信装置の構成および送受信装置による処理の流れを説明した後、実施例４による効果を説明する。
【０１０２】
［実施例４に係る送受信装置の構成］
まず、図１１、図１２および図１３を用いて実施例４に係る送受信装置１０の構成を説明する。図１１は、実施例４に係る送受信装置の構成を示すブロック図である。図１２は、実施例４に係る基準テーブルに記憶される情報の一例を示した図である。図１３は、実施例４に係る補正値演算部による処理の一例を説明するための図である。
【０１０３】
実施例４に係る送受信装置１０の構成は、補正テーブル４８の代わりに基準テーブル５４を備え、補正情報選択部５０の代わりに補正値演算部５５を備える。なお、基準テーブル５４は、請求の範囲に記載の「補正情報保持手段」に対応し、補正値演算部５５は、「補正値演算手段」に対応する。そして、実施例４に係る送受信装置１０の構成は、実施例２に係る送受信装置１０と以下に説明する点がさらに異なる。
【０１０４】
すなわち、基準テーブル５４は、予め設定された送信データの信号レベルの基準値ごとに、受信データのＲＳＳＩ値の測定値の補正に用いられる補正情報を保持する。具体的には、基準テーブル５４は、図１２に示すように、補正情報（＋４６ｄＢ）と、補正情報（０ｄＢ）とを保持する。そして、基準テーブル５４は、各補正情報ごとにＲＳＳＩ報告値に対応付けて、ＲＳＳＩ補正値を記憶する。
【０１０５】
なお、（＋４６ｄＢ）および（０ｄＢ）が、予め設定された送信データの信号レベルの基準値に対応する。
【０１０６】
補正値演算部５５は、送信レベル値取得部５３によるＲＳＳＩ値の取得結果と、基準テーブル５４によって保持されている各補正情報とを用いて受信データの信号強度を補正するための補正値を演算する。例えば、補正値演算部５５は、比例計算によって受信データの信号強度を補正するための補正値を演算する。
【０１０７】
具体的に一例をあげて説明する上で、補正値演算部５５は、送信レベル値取得部５３から送信データの信号レベル「＋２３ｄＢ」を受け付けている状態で、ＲＳＳＩ値測定部４９からＲＳＳＩ報告値「−１０４ｄＢｍ」を受け付けたものとする。
【０１０８】
このとき、補正値演算部５５は、図１３に示した式の「ｘ」に「＋２３」を代入する。また、補正値演算部５５は、補正情報（＋４６ｄＢ）を参照してＲＳＳＩ報告値「−１０４ｄＢｍ」に対応するＲＳＳＩ補正値「−１００ｄＢｍ」を取得し、図１３に示した式の「ｚ２」に「−１００」を代入する。また、補正値演算部５５は、補正情報（０ｄＢ）を参照してＲＳＳＩ報告値「−１０４ｄＢｍ」に対応するＲＳＳＩ補正値「−１０３ｄＢｍ」を取得し、図１３に示した式の「ｚ１」に「−１０３」を代入する。なお、図１３に示した式の「４６」および「０」は、予め設定された送信データの信号レベルの基準値に対応する。
【０１０９】
そして、補正値演算部５５は、受信データの信号強度を補正するための補正値に相当する図１３に示した式の「ｙ」（上記した例では「ｙ＝−１０１．５」）を演算する。そして、補正値演算部５５は、演算した補正値をＲＳＳＩ値補正部５１に対して入力する。
【０１１０】
ＲＳＳＩ値補正部５１は、補正値演算部５５によって演算された補正値に受信データの信号強度の測定値を補正する。
【０１１１】
［実施例４に係る送受信装置による処理］
次に、図１４を用いて、実施例４に係る送受信装置による処理を説明する。図１４は、実施例４に係る送受信装置による処理の流れを示すフローチャート図である。
【０１１２】
なお、実施例４に係る送受信装置は、送信データの信号レベル値を常に取得しているものとし、以下では、実施例４に係る送受信装置１０に特徴的な処理の流れについて詳細に説明する。
【０１１３】
図１４に示すように、送受信装置１０は、端末装置から発信されている搬送波を受信すると（ステップＳ４００１肯定）、受信データ抽出処理を実行し（ステップＳ４００２）、受信データのＲＳＳＩ値を測定する（ステップＳ４００３）。
【０１１４】
続いて、送受信装置１０は、送信データの信号レベル値の取得結果と、各補正情報とを用いて受信データの信号強度を補正するための補正値を演算し（ステップＳ４００４）、演算された補正値に受信データの信号強度の測定値を補正する（ステップＳ４００５）。
【０１１５】
そして、送受信装置１０は、補正された測定値を用いて受信データを復調処理し（ステップＳ４００６）、復調した受信データを通信装置に対して送信して（ステップＳ４００７）、受信データ送受信処理を終了する。
【０１１６】
［実施例４の効果］
上記したように、実施例４によれば、送信データの信号レベルに柔軟に対応して、受信データを品質よく復調処理することが可能である。また、実施例４によれば、保持すべき補正情報の情報量を抑制することができるという効果を奏する。
【実施例５】
【０１１７】
さて、これまで実施例１〜４について説明したが、本発明は上述した実施例以外にも、種々の異なる形態にて実施されてよいものである。そこで、以下では、実施例５として、他の実施例を説明する。
【０１１８】
例えば、実施例１〜４では、補正テーブル４８（基準テーブル５４）に補正情報として、ＲＳＳＩ報告値に対応付けて、ＲＳＳＩ補正値を記憶する場合を説明したが、本実施例はこれに限定されるものではなく、測定された受信データのＲＳＳＩ値の測定値を補正することができる情報（例えば、補正前後のＲＳＳＩ値の差分値や、補正前のＲＳＳＩ値から補正後のＲＳＳＩ値を算出するための計算式）を保持するようにすれば、本実施例に適用することが可能である。
【０１１９】
また、実施例１では、スイッチ２９による電源装置２８の制御を監視する場合を説明したが、本実施例はこれに限定されるものではなく、受信データが有するＲＳＳＩ値の測定結果に誤差を生じさせる構成要素の駆動状況を監視するようにしてもよい。
【０１２０】
また、上記文書中や図面中で示した処理手順、制御手順、具体的名称、各種のデータやパラメータを含む情報（例えば、図３、図６、図９および図１２に示した記憶情報や図１３に示した計算式）については、特記する場合を除いて任意に変更することができる。
【０１２１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図２に示した補正情報選択部５０と、ＲＳＳＩ値補正部５１とを統合して構成することができる。
【０１２２】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１２３】
以上の実施例１〜５を含む実施形態に関し、さらに以下の付記を開示する。
【０１２４】
（付記１）端末装置と、通信装置との間に介在し、通信装置から受信した端末装置宛の送信データを送信するとともに、端末装置からの受信データを復調処理して通信装置に対して送信するデータ送受信装置であって、
前記送信データの送信処理の実行中であるか否かを示す送信処理状況、および／または、前記送信データの信号強度をモニタして取得する送信状況取得手段と、
前記受信データの信号強度を測定する信号強度測定手段と、
前記送信状況取得手段により取得された送信処理状況、および／または、信号強度の取得結果に応じて、前記信号強度測定手段によって測定された前記受信データの信号強度の測定値を補正する測定値補正手段と、
前記測定値補正手段によって補正された測定値を用いて前記受信データを復調処理する復調手段と、
を備えたことを特徴とするデータ送受信装置。
【０１２５】
（付記２）前記送信データの送信処理の実行中であるか否かを示す送信処理状況ごとに、前記受信データの信号強度の測定値の補正に用いられる補正情報を保持する補正情報保持手段と、
前記補正情報保持手段によって保持された各補正情報の中から、前記送信状況取得手段による送信処理状況の取得結果に対応する補正情報を取得する補正情報取得手段とをさらに備え、
前記測定値補正手段は、前記補正情報取得手段によって取得された補正情報を用いて前記受信データの信号強度の測定値を補正することを特徴とする付記１に記載のデータ送受信装置。
【０１２６】
（付記３）前記送信状況取得手段により取得された送信処理状況が前記送信データの送信処理の実行中であることを示す場合について、前記送信データの信号強度ごとに前記受信データの信号強度の測定値の補正に用いられる補正情報を保持するとともに、前記送信状況取得手段により取得された送信処理状況が前記送信データの送信処理の停止中であることを示す場合についての補正情報を保持する補正情報保持手段と、
前記補正情報保持手段によって保持された各補正情報の中から、前記送信状況取得手段による送信処理状況の取得結果および／または信号強度の取得結果に応じて補正情報を取得する補正情報取得手段とをさらに備え、
前記測定値補正手段は、前記補正情報取得手段によって取得された補正情報を用いて前記受信データの信号強度の測定値を補正することを特徴とする付記１に記載のデータ送受信装置。
【０１２７】
（付記４）前記送信データの信号強度ごとに前記受信データの信号強度の測定値の補正に用いられる補正情報を保持する補正情報保持手段と、
前記補正情報保持手段によって保持された各補正情報の中から、前記送信状況取得手段による信号強度の取得結果に応じて補正情報を取得する補正情報取得手段とをさらに備え、
前記測定値補正手段は、前記補正情報取得手段によって取得された前記補正情報を用いて前記受信データの信号強度の測定値を補正することを特徴とする付記１に記載のデータ送受信装置。
【０１２８】
（付記５）予め設定された前記送信データの信号強度の基準値ごとに、前記受信データの信号強度の測定値の補正に用いられる補正情報を保持する補正情報保持手段と、
前記送信状況取得手段による信号強度の取得結果と、前記補正情報保持手段によって保持されている各補正情報とを用いて前記受信データの信号強度を補正するための補正値を演算する補正値演算手段とをさらに備え、
前記測定値補正手段は、前記補正値演算手段によって演算された補正値に前記受信データの信号強度の測定値を補正することを特徴とする付記１に記載のデータ送受信装置。
【０１２９】
（付記６）端末装置と、通信装置との間に介在するデータ送受信装置によって、通信装置から受信した端末装置宛の送信データを送信するとともに、端末装置からの受信データを復調処理して通信装置に対して送信するデータ送受信方法であって、
前記送信データの送信処理の実行中であるか否かを示す送信処理状況、および／または、前記送信データの信号強度をモニタして取得する送信状況取得ステップと、
前記受信データの信号強度を測定する信号強度測定ステップと、
前記送信状況取得ステップにより取得された送信処理状況、および／または、信号強度の取得結果に応じて、前記信号強度測定ステップによって測定された前記受信データの信号強度の測定値を補正する測定値補正ステップと、
前記測定値補正ステップによって補正された測定値を用いて前記受信データを復調処理する復調ステップと、
を含んだことを特徴とするデータ送受信方法。
【０１３０】
（付記７）前記送信データの送信処理の実行中であるか否かを示す送信処理状況ごとに、前記受信データの信号強度の測定値の補正に用いられる補正情報を保持する補正情報保持ステップと、
前記補正情報保持ステップによって保持された各補正情報の中から、前記送信状況取得ステップによる送信処理状況の取得結果に対応する補正情報を取得する補正情報取得ステップとをさらに含み、
前記測定値補正ステップは、前記補正情報取得ステップによって取得された補正情報を用いて前記受信データの信号強度の測定値を補正することを特徴とする付記６に記載のデータ送受信方法。
【０１３１】
（付記８）前記送信状況取得ステップにより取得された送信処理状況が前記送信データの送信処理の実行中であることを示す場合について、前記送信データの信号強度ごとに前記受信データの信号強度の測定値の補正に用いられる補正情報を保持するとともに、前記送信状況取得ステップにより取得された送信処理状況が前記送信データの送信処理の停止中であることを示す場合についての補正情報を保持する補正情報保持ステップと、
前記補正情報保持ステップによって保持された各補正情報の中から、前記送信状況取得ステップによる送信処理状況の取得結果および／または信号強度の取得結果に応じて補正情報を取得する補正情報取得ステップとをさらに含み、
前記測定値補正ステップは、前記補正情報取得ステップによって取得された補正情報を用いて前記受信データの信号強度の測定値を補正することを特徴とする付記６に記載のデータ送受信方法。
【０１３２】
（付記９）前記送信データの信号強度ごとに前記受信データの信号強度の測定値の補正に用いられる補正情報を保持する補正情報保持ステップと、
前記補正情報保持ステップによって保持された各補正情報の中から、前記送信状況取得ステップによる信号強度の取得結果に応じて補正情報を取得する補正情報取得ステップとをさらに含み、
前記測定値補正ステップは、前記補正情報取得ステップによって取得された前記補正情報を用いて前記受信データの信号強度の測定値を補正することを特徴とする付記６に記載のデータ送受信方法。
【０１３３】
（付記１０）予め設定された前記送信データの信号強度の基準値ごとに、前記受信データの信号強度の測定値の補正に用いられる補正情報を保持する補正情報保持ステップと、
前記送信状況取得ステップによる信号強度の取得結果と、前記補正情報保持ステップによって保持されている各補正情報とを用いて前記受信データの信号強度を補正するための補正値を演算する補正値演算ステップとをさらに含み、
前記測定値補正ステップは、前記補正値演算ステップによって演算された補正値に前記受信データの信号強度の測定値を補正することを特徴とする付記６に記載のデータ送受信方法。
【０１３４】
（付記１１）端末装置と、通信装置との間に介在し、通信装置から受信した端末装置宛の送信データを送信するとともに、端末装置からの受信データを復調処理して通信装置に対して送信するデータ送受信処理をコンピュータに実行させるデータ送受信プログラムであって、
前記送信データの送信処理の実行中であるか否かを示す送信処理状況、および／または、前記送信データの信号強度をモニタして取得する送信状況取得手順と、
前記受信データの信号強度を測定する信号強度測定手順と、
前記送信状況取得手順により取得された送信処理状況、および／または、信号強度の取得結果に応じて、前記信号強度測定手順によって測定された前記受信データの信号強度の測定値を補正する測定値補正手順と、
前記測定値補正手順によって補正された測定値を用いて前記受信データを復調処理する復調手順と、
をコンピュータに実行させることを特徴とするデータ送受信プログラム。
【０１３５】
（付記１２）前記送信データの送信処理の実行中であるか否かを示す送信処理状況ごとに、前記受信データの信号強度の測定値の補正に用いられる補正情報を保持する補正情報保持手順と、
前記補正情報保持手順によって保持された各補正情報の中から、前記送信状況取得手順による送信処理状況の取得結果に対応する補正情報を取得する補正情報取得手順とをさらにコンピュータに実行させ、
前記測定値補正手順は、前記補正情報取得手順によって取得された補正情報を用いて前記受信データの信号強度の測定値を補正することを特徴とする付記１１に記載のデータ送受信プログラム。
【０１３６】
（付記１３）前記送信状況取得手順により取得された送信処理状況が前記送信データの送信処理の実行中であることを示す場合について、前記送信データの信号強度ごとに前記受信データの信号強度の測定値の補正に用いられる補正情報を保持するとともに、前記送信状況取得手順により取得された送信処理状況が前記送信データの送信処理の停止中であることを示す場合についての補正情報を保持する補正情報保持手順と、
前記補正情報保持手順によって保持された各補正情報の中から、前記送信状況取得手順による送信処理状況の取得結果および／または信号強度の取得結果に応じて補正情報を取得する補正情報取得手順とをさらにコンピュータに実行させ、
前記測定値補正手順は、前記補正情報取得手順によって取得された補正情報を用いて前記受信データの信号強度の測定値を補正することを特徴とする付記１１に記載のデータ送受信プログラム。
【０１３７】
（付記１４）前記送信データの信号強度ごとに前記受信データの信号強度の測定値の補正に用いられる補正情報を保持する補正情報保持手順と、
前記補正情報保持手順によって保持された各補正情報の中から、前記送信状況取得手順による信号強度の取得結果に応じて補正情報を取得する補正情報取得手順とをさらにコンピュータに実行させ、
前記測定値補正手順は、前記補正情報取得手順によって取得された前記補正情報を用いて前記受信データの信号強度の測定値を補正することを特徴とする付記１１に記載のデータ送受信プログラム。
【０１３８】
（付記１５）予め設定された前記送信データの信号強度の基準値ごとに、前記受信データの信号強度の測定値の補正に用いられる補正情報を保持する補正情報保持手順と、
前記送信状況取得手順による信号強度の取得結果と、前記補正情報保持手順によって保持されている各補正情報とを用いて前記受信データの信号強度を補正するための補正値を演算する補正値演算手順とをさらにコンピュータに実行させ、
前記測定値補正手順は、前記補正値演算手順によって演算された補正値に前記受信データの信号強度の測定値を補正することを特徴とする付記１１に記載のデータ送受信プログラム。
【図面の簡単な説明】
【０１３９】
【図１】実施例１に係る送受信装置の概要および特徴を説明するための図である。
【図２】実施例１に係る送受信装置の構成を示すブロック図である。
【図３】実施例１に係る補正テーブルに記憶される情報の一例を示した図である。
【図４】実施例１に係る送受信装置による処理の流れを示すフローチャート図である。
【図５】実施例２に係る送受信装置の構成を示すブロック図である。
【図６】実施例２に係る補正テーブルに記憶される情報の一例を示した図である。
【図７】実施例２に係る送受信装置による処理の流れを示すフローチャート図である。
【図８】実施例３に係る送受信装置の構成を示すブロック図である。
【図９】実施例３に係る補正テーブルに記憶される情報の一例を示した図である。
【図１０】実施例３に係る送受信装置による処理の流れを示すフローチャート図である。
【図１１】実施例４に係る送受信装置の構成を示すブロック図である。
【図１２】実施例４に係る基準テーブルに記憶される情報の一例を示した図である。
【図１３】実施例４に係る補正値演算部による処理の一例を説明するための図である。
【図１４】実施例４に係る送受信装置による処理の流れを示すフローチャート図である。
【図１５】従来技術の概要を説明するための図である。
【図１６】従来技術の課題を説明するための図である。
【符号の説明】
【０１４０】
１０  送受信装置
２１  ＭＯＤ（Ｍｏｄｕｌａｔｏｒ：変調部）
２２  ＤＡＣ（Ｄｉｇｉｔａｌ  ｔｏ  Ａｎａｌｏｇ  Ｃｏｎｖｅｒｔｅｒ）
２３  発振器
２４  ミキサ
２５  ＡＭＰ（Ａｍｐｌｉｆｉｅｒ）
２６  アイソレータ
２７  ＴｘＡＭＰ（Ｔｒａｎｓｍｉｔｔｅｒ  Ａｍｐｌｉｆｉｅｒ）
２８  電源装置
２９  スイッチ
４１  ＲｘＡＭＰ（Ｒｅｃｉｅｖｅｒ  Ａｍｐｌｉｆｉｅｒ）
４２  バンドパスフィルタ
４３  発振器
４４  ミキサ
４５  バンドパスフィルタ
４６  ＡＭＰ
４７  ＡＤＣ（Ａｎａｌｏｇ  ｔｏ  ｄｉｇｉｔａｌ  Ｃｏｎｖｅｒｔｅｒ）
４８  補正テーブル
４９  ＲＳＳＩ値測定部
５０  補正情報選択部
５１  ＲＳＳＩ値補正部
５２  ＤＥＭ（Ｄｅｍｏｄｕｌａｔｏｒ：復調部）
５３  送信レベル値取得部
５４  基準テーブル
５５  補正値演算部
【図１】
2009206977.tif 000003
【図２】
2009206977.tif 000004
【図３】
2009206977.tif 000005
【図４】
2009206977.tif 000006
【図５】
2009206977.tif 000007
【図６】
2009206977.tif 000008
【図７】
2009206977.tif 000009
【図８】
2009206977.tif 000010
【図９】
2009206977.tif 000011
【図１０】
2009206977.tif 000012
【図１１】
2009206977.tif 000013
【図１２】
2009206977.tif 000014
【図１３】
2009206977.tif 000015
【図１４】
2009206977.tif 000016
【図１５】
2009206977.tif 000017
【図１６】
2009206977.tif 000018